(57)【要約】 【課題】  障害が発生した機器を容易に識別可能なる障害メッセージ処理システムの提供。【解決手段】  障害を検知したときに障害に対応したメッセージＩＤ及び又はエラーメッセージ文字列を送信する複数のネットワーク機器１００と、このネットワーク機器１００に付与されたインタフェース番号と該インタフェース番号に対応したＩＰアドレスとの変換テーブル１２３と、メッセージＩＤに対応したエラーメッセージ文字列を格納するエラーメッセージ格納部と、障害を検知したネットワーク機器からメッセージＩＤを受信したとき、前記エラーメッセージ格納部から受信したメッセージＩＤに対応したエラーメッセージ文字列又は受信したエラーメッセージ文字列３０２に含まれるインタフェース番号を抽出し、変換テーブル１２３を用いて抽出したインタフェース番号に対応したＩＰアドレス１２０を得るネットワーク監視装置１２０を備える。【選択図】  図１
2005190215.tif 000002
【特許請求の範囲】
【請求項１】
複数のネットワーク機器及びネットワーク監視装置が接続されたネットワークにおける障害メッセージ処理方法であって、ネットワーク機器に付与されたインタフェース番号と該インタフェース番号に対応したＩＰアドレスとの変換テーブルを用意し、障害を検知したネットワーク機器からメッセージＩＤ及び又はエラーメッセージ文字列を受信したとき、前記ネットワーク機器からのメッセージＩＤに対応したエラーメッセージ文字列又はエラーメッセージ文字列に含まれるインタフェース番号を抽出し、前記前記変換テーブルを用いて前記抽出したインタフェース番号に対応したＩＰアドレスを得ることを特徴とする障害メッセージ処理方法。
【請求項２】
複数のネットワーク機器及びネットワーク監視装置が接続されたネットワークにおける障害メッセージ処理システムであって、障害を検知したときに障害に対応したメッセージＩＤ及び又はエラーメッセージ文字列を送信する複数のネットワーク機器と、ネットワーク監視装置を備え、該ネットワーク監視装置が、前記ネットワーク機器に付与されたインタフェース番号と該インタフェース番号に対応したＩＰアドレスとの変換テーブルと、前記メッセージＩＤに対応したエラーメッセージ文字列を格納するエラーメッセージ格納部とを含み、障害を検知したネットワーク機器からメッセージＩＤを受信したとき、前記エラーメッセージ格納部から受信したメッセージＩＤに対応したエラーメッセージ文字列又はネットワーク機器から受信したエラーメッセージ文字列に含まれるインタフェース番号を抽出し、前記変換テーブルを用いて前記抽出したインタフェース番号に対応したＩＰアドレスを得ることを特徴とする障害メッセージ処理システム。
【発明の詳細な説明】
【技術分野】
【０００１】
本発明は、ＬＡＮ等のネットワークに接続され、障害が発生したネットワーク機器を容易に識別することができる障害メッセージ処理方法及び障害メッセージ処理システムに係り、特に障害を検知したネットワーク接続機器からのメッセージ内容を基に障害が発生した機器を識別することができる障害メッセージ処理方法及び障害メッセージ処理システムに関する。
【背景技術】
【０００２】
近年、ＬＡＮ等のネットワーク接続されたコンピュータシステムにおいて、前記ネットワーク上に接続されたネットワーク機器、例えばクライアントコンピュータ／ハブ／ルータ等に障害が発生した場合、この障害発生を検知するためのネットワーク監視装置（障害監視装置とも呼ぶ）が使用されている。このネットワーク監視装置は、ネットワークに接続された機器に障害が発生した場合、障害を検出した機器が、自己のＩＰアドレスとメッセージ、例えばエラーメッセージに対応したメッセージＩＤ又はエラーメッセージの文字列を発行し、これらＩＰアドレスやメッセージを受信し、エラーの発生を検知している。
【０００３】
例えば公知のスイッチングハブでは、サーバのダウン時にLinkDownメッセージを発行し、ダウンしたサーバ以外にもネットワーク機器も障害として表示している。
【０００４】
尚、前記ネットワーク接続された障害検知に関する技術が記載された文献としては、例えば下記特許文献が挙げられる。
【特許文献１】特開昭６４−７８０５３号公報
【特許文献２】特開平２−５０５４０号公報
【特許文献３】特開平２−３１１０４０号公報
【特許文献４】特開２００３−２７３９３０号公報
【発明の開示】
【発明が解決しようとする課題】
【０００５】
従来技術によるネットワーク接続の障害検知技術は、障害監視装置がメッセージの送信元を障害発生機器と判断し、障害表示を行っており、例えば、ハブを介したクライアントコンピュータがシステムダウンし、これを前記ハブが検出した場合、当該ハブに障害が発生したと判断しているため、システム管理者にとっては、どの接続機器に障害か発生したかを容易に識別することができないと言う不具合があった。
【０００６】
本発明の目的は、前述の従来技術による不具合を除去することであり、障害が発生したネットワーク機器を容易に識別することができる障害メッセージ処理方法及び障害メッセージ処理システムを提供することである。
【課題を解決するための手段】
【０００７】
前記目的を達成するために本発明は、複数のネットワーク機器及びネットワーク監視装置が接続されたネットワークにおける障害メッセージ処理方法であって、前記ネットワーク監視装置が、ネットワーク機器に付与されたインタフェース番号と該インタフェース番号に対応したＩＰアドレスとの変換テーブルを備え、障害を検知したネットワーク機器からメッセージＩＤ及び又はエラーメッセージ文字列を受信したとき、前記ネットワーク機器からのメッセージＩＤに対応したエラーメッセージ文字列又はエラーメッセージ文字列に含まれるインタフェース番号を抽出し、前記前記変換テーブルを用いて前記抽出したインタフェース番号に対応したＩＰアドレスを得ることを第１の特徴とする。
【０００８】
更に本発明は、複数のネットワーク機器及びネットワーク監視装置が接続されたネットワークにおける障害メッセージ処理システムであって、障害を検知したときに障害に対応したメッセージＩＤ及び又はエラーメッセージ文字列を送信する複数のネットワーク機器と、ネットワーク監視装置とを備え、該ネットワーク監視装置が、前記ネットワーク機器に付与されたインタフェース番号と該インタフェース番号に対応したＩＰアドレスとの変換テーブルと、前記メッセージＩＤに対応したエラーメッセージ文字列を格納するエラーメッセージ格納部とを含み、障害を検知したネットワーク機器からメッセージＩＤを受信したとき、前記エラーメッセージ格納部から受信したメッセージＩＤに対応したエラーメッセージ文字列又はネットワーク機器から受信したエラーメッセージ文字列に含まれるインタフェース番号を抽出し、前記変換テーブルを用いて前記抽出したインタフェース番号に対応したＩＰアドレスを得ることを第２の特徴とする。
【発明の効果】
【０００９】
本発明による障害メッセージ処理方法及び障害メッセージ処理システムは、障害監視装置が、障害を検知したネットワーク機器からのメッセージに含まれるメッセージＩＤ及び又はエラーメッセージ文字列を受信したとき、メッセージＩＤに対応したエラーメッセージ文字列又はエラーメッセージ文字列に含まれるインタフェース番号を抽出し、前記変換テーブルを用いて抽出したインタフェース番号に対応したＩＰアドレスを得ることにより、障害が発生した機器を容易に識別することができる。
【発明を実施するための最良の形態】
【００１０】
以下、本発明の一実施形態による障害メッセージ処理方法及び障害メッセージ処理システムを図面を参照して詳細に説明する。図１は、本実施形態による障害メッセージ処理方法及び障害メッセージ処理システムが適用されるネットワークシステムを示す図、図２は本実施形態による障害メッセージ処理を説明するためのフローチャートを示す図、図３は本実施形態による障害メッセージ処理時に変換テーブルの一例を示す図である。
【００１１】
本実施形態が適用されるネットワークは、図１に示す如く、監視対象である複数のネットワーク機器１００（図では１台のみを示す）と、当該ネットワーク機器１００を監視するための監視プログラムを搭載するネットワーク機器１１０と、該ネットワーク機器１１０が前記監視プログラムによって特定の機能が正常に機能していない事を検出した場合、その異常が報告されるネットワーク監視装置１２０とから構成される。尚、前記ネットワーク機器１１０はネットワーク監視装置１２０の機能に含まれていても良い。
【００１２】
前記ネットワーク機器１００は、自己で異常を検知した場合、その異常に対応したエラーメッージに対応したメッセージＩＤをネットワーク上に送出する機能又はエラーメッセージそのものをネットワーク上に送出する機能を有し、これらメッセージと自己のＩＰアドレスをネットワーク上に送出することによって、異常検知をネットワーク機器１１０に報告するものである。
【００１３】
前記ネットワーク機器１１０は、前記メッセージＩＤをネットワークを介して受信したときは、当該エラーメッセージを障害を検出した機器のＩＰアドレスと共に該メッセージＩＤをエラーメッセージの文字列に変換してネットワーク監視装置１２０に送出する機能と、エラーメッセージの文字列そのものを受信したときには、当該エラーメッセージを障害を検出した機器のＩＰアドレスと共にネットワーク監視装置１２０に送出する機能とを備える。
【００１４】
前記ネットワーク監視装置１２０は、前記ネットワーク機器１１０からの前記メッセージを受信するメッセージ受信部１２１と、後述する変換テーブル１２３を用いて前記受信したメッセージから障害が発生した機器を識別するための変換を行うメッセージ発生元情報変換部１２２と、該発生元情報変換部１２２により識別した障害発生機器のＩＰアドレス等を管理者に表示する障害機器表示部１２４とを備える。
【００１５】
前記変換テーブル１２３は、例えば図３に示す如く、障害を検知した機器のＩＰアドレス３０１と、エラーメッセージの文字列３０２とに対応して、障害が発生した機器のＩＰアドレス（変換後送信元情報）３０３を格納するものである。これを具体的に説明すると、例えばネットワーク機器１００が複数のポートに複数のクライアントが接続されたスイッチングハブであり、ポート１に接続したクライアントがシステムダウンした場合、該ネットワーク機器１００（ハブ）からは自己のＩＰアドレス（172,21,119,10）とエラーメッセージの文字列「インタフェース１でエージェントのインタフェースが応答なし」等のメッセージに対し、当該ネットワーク機器１００（ハブ）のポート１（インタフェース１）に接続したクライアントのＩＰアドレスが「172,21,119,123」であることが予め登録されているものである。尚、図３の例では、ネットワーク機器１００（ハブ）のポート２（インタフェース２）に接続したクライアントのＩＰアドレスが「172,21,119,124」であることを示している。
【００１６】
この様に構成されたネットワークシステムは、図２に示す如く、ネットワーク機器１１０が障害発生を検知し、この障害を検知したネットワーク機器１００のＩＰアドレス及びエラーメッセージの文字列をネットワーク監視装置１２０に送出すると、該ネットワーク監視装置１２０は、予め前記変換テーブル１２３の内容を読み込んだ状態（ステップ２０１）において、前記メッセージを受け付け（ステップ２０２）、該メッセージに発信元情報３０１が変換テーブル１２３に存在するか否かを判定し（ステップ２０３）、該ステップ２０３において存在すると判定された場合、そのメッセージの一部（例えば「インタフェース１」）が変換テーブルに存在するか否かを判定し（ステップ２０４）、該ステップ２０４において該当する変換データが存在しない場合、このステップ２０３〜２０４を変換テーブル１２３の全列データについて繰り返して実行し（ステップ２０５）、前記ステップ２０４において該当するメッセージの一部が存在する場合、そのメッセージの文字列３０２をキーとして障害が発生した機器の送信元情報であるＩＰアドレス３０３に変換し（ステップ２０６）、障害機器表示部１２４に当該ＩＰアドレスを送出する様に動作する（ステップ２０７）。例えば図３の例では、ＩＰアドレス「172,21,19,10」の発信元から「インタフェース１でエージェントのインタフェースが応答なし」のエラーメッセージ文字列を入力した場合、この文字列から「インタフェース１」を抽出し、この文字列に対応する障害が発生した機のＩＰアドレス「172,21,19,123」を送出する様に動作する。
【００１７】
尚、前記ステップ２０４において、受信したメッセージの送信元情報が変換テーブル１２３にない場合、又は変換テーブル１２３に存在しても指定文字列と部分一致しない場合は、そのままのメッセージを障害機器表示部１２４にＩＰアドレスである発信元情報を障害機器表示部１２４に表示することによって、例えば、その検出機器自体に障害が発生したことも識別することができる。
【００１８】
従って本実施形態によれば、監視装置１２０が、障害を検知したネットワーク機器からのメッセージに含まれるメッセージＩＤ及び又はエラーメッセージ文字列を受信したとき、メッセージＩＤに対応したエラーメッセージ文字列又はエラーメッセージ文字列に含まれるインタフェース番号を抽出し、前記変換テーブルを用いて抽出したインタフェース番号に対応したＩＰアドレス３０３を得ることにより、障害が発生した機器を容易に識別することができる。
【図面の簡単な説明】
【００１９】
【図１】本発明による障害メッセージ処理方法及び障害メッセージ処理システムの一実施形態が適用されるネットワークシステムを示す図。
【図２】本実施形態による障害メッセージ処理を説明するためのフローチャート。
【図３】本実施形態による障害メッセージ処理時に変換テーブルの一例を示す図。
【符号の説明】
【００２０】
１００：ネットワーク機器、１１０：ネットワーク機器、１２０：ネットワーク監視装置、１２１：メッセージ受信部、１２２：メッセージ発生元情報変換部、１２２：発生元情報変換部、１２３：変換テーブル、１２４：障害機器表示部。
【図１】
2005190215.tif 000003
【図２】
2005190215.tif 000004
【図３】
2005190215.tif 000005